(57)【要約】      （修正有）【課題】雨傘を日傘または日傘を雨傘として利用できるとともに、傘布への傘カバーの装着により傘のデザイン性も高められる傘カバーおよびこれを装着した傘を提供する。【解決手段】傘の傘布１１を、その表面から着脱自在に被うカバーシート１２Ａと、カバーシートの中央部に設けられ、傘の石突１３に着脱自在に外挿される石突掛止筒１４または石突掛止穴と、カバーシートの外周縁部に設けられ、傘の各露先１５に掛止される露先掛止部材１６とを備えた。これにより、雨傘を日傘または日傘を雨傘として利用でき、かつ傘布への傘カバー１０Ａの装着により傘のデザイン性も高めることができる。【選択図】図１
0003187424.tif 000002
【実用新案登録請求の範囲】
【請求項１】
傘の傘布を、その表面から着脱自在に被うカバーシートと、
該カバーシートの中央部に設けられ、前記傘の石突に着脱自在に外挿される石突掛止筒または石突掛止穴と、
前記カバーシートの外周縁部に設けられ、前記傘の各露先に掛止される露先掛止部材とを備えたことを特徴とする傘カバー。
【請求項２】
前記露先掛止部材は、前記カバーシートの外周縁部のうち、該カバーシートの周方向へ所定ピッチで配設され、かつ前記各露先に被せられる複数の袋体である請求項１に記載の傘カバー。
【請求項３】
前記露先掛止部材は、前記カバーシートの外周縁部の全周にわたって設けられたネット材を有している請求項１に記載の傘カバー。
【請求項４】
前記カバーシートの一部には、前記傘布に連結されたバンドの挿通穴が形成された請求項１〜請求項３のうち、何れか１項に記載の傘カバー。
【請求項５】
前記カバーシートは伸縮性素材からなる請求項１〜請求項４のうち、何れか１項に記載の傘カバー。
【請求項６】
前記傘は雨傘または日傘で、
前記カバーシートは、前記雨傘を日傘として使用可能とするもの、または、前記日傘を雨傘として使用可能とするものである請求項１〜請求項５のうち、何れか１項に記載の傘カバー。
【請求項７】
前記雨傘は、前記傘布が透明または半透明な合成樹脂シートからなり、
前記カバーシートは有色シートからなる請求項６に記載の傘カバー。
【請求項８】
前記カバーシートは、紫外線カット機能が付与されたものである請求項７項に記載の傘カバー。
【請求項９】
前記日傘は、前記傘布が通気性を有した織布からなり、
前記カバーシートは遮水性シートからなる請求項６に記載の傘カバー。
【請求項１０】
請求項１〜請求項９のうち、何れか１項の傘カバーを有したことを特徴とする傘。
【考案の詳細な説明】
【技術分野】
【０００１】
本考案は、傘カバーおよびこれを装着した傘、詳しくは傘を晴雨兼用のものとすることが可能な傘カバーおよびこれを装着した傘に関する。
【背景技術】
【０００２】
近年、コンビニエンスストアや駅の売店などでは、傘布が透明で安価な雨傘（以下、透明傘）が販売されている（例えば特許文献１）。透明傘は、傘布の素材として透明な合成樹脂シートが採用されているため、これを晴天時に日焼けを避ける日傘の代わりに使用した場合、直射日光が傘布を素通りすることから好ましくない。
【０００３】
一方、日傘は、夏季などの暑い日に紫外線を含む直射日光を遮ればよいことから、傘布には通気性に優れた織布が使用されている。そのため、日傘を雨傘として使用した場合、傘布の通気性が高いため雨水がその傘布を通り抜け、使用者の頭上に落ちる虞があった。そこで、日傘とともに雨傘も持ち歩けばよいが、２本の傘を携帯するのは煩わしかった。
【先行技術文献】
【特許文献】
【０００４】
【特許文献１】特開２００９−２９７４８１号公報
【考案の概要】
【考案が解決しようとする課題】
【０００５】
本考案は、上記問題点に鑑みてなされたもので、雨傘を日傘としてまたは日傘を雨傘として利用することができるとともに、傘布への傘カバーの装着により傘のデザイン性も高められる傘カバーおよびこれを装着した傘を提供することを目的としている。
【課題を解決するための手段】
【０００６】
本考案は、傘の傘布を、その表面から着脱自在に被うカバーシートと、該カバーシートの中央部に設けられ、前記傘の石突に着脱自在に外挿される石突掛止筒または石突掛止穴と、前記カバーシートの外周縁部に設けられ、前記傘の各露先に掛止される露先掛止部材とを備えたことを特徴とする傘カバーである。
【０００７】
また、本考案の傘カバーは、露先掛止部材を、カバーシートの外周縁部のうち、カバーシートの周方向へ所定ピッチで配設され、かつ各露先に被せられる複数の袋体としてもよい。
【０００８】
さらに、本考案の傘カバーは、露先掛止部材を、カバーシートの外周縁部の全周にわたって設けられたネット材であってもよい。
【０００９】
さらにまた、本考案の傘カバーは、カバーシートの一部に、傘布に連結されたバンドの挿通穴を形成したものとしてもよい。
【００１０】
また、本考案の傘カバーは、カバーシートを伸縮性素材からなるとしてもよい。
【００１１】
さらに、本考案の傘カバーは、傘が雨傘または日傘で、カバーシートは、雨傘を日傘として使用可能とするもの、または、日傘を雨傘として使用可能とするものとしてもよい。
【００１２】
さらにまた、本考案の傘カバーは、雨傘を、傘布が透明または半透明な合成樹脂シートからなるものとし、カバーシートを有色シートからなるものとしてもよい。
【００１３】
また、本考案の傘カバーは、カバーシートを、紫外線カット機能が付与されたものとしてもよい。
【００１４】
さらに、本考案の傘カバーは、日傘を、傘布が通気性を有した織布からなるものとし、カバーシートを遮水性シートからなるものとしてもよい。
【００１５】
さらにまた、本考案は、上記何れかの傘カバーを有したことを特徴とする傘である。
【００１６】
ここでいう傘カバーとは、雨傘の傘布の表面に装着することで雨傘を日傘として利用可能（日傘代用）とし、または、これを日傘の傘布の表面に装着することで日傘を雨傘として利用可能（雨傘代用）とする、傘の晴雨兼用化を図ったシート状の部材である。雨傘を日傘として利用するために必要な傘カバーの特性は、少なくとも日光を遮る遮光性、好ましくは通気性およびデザイン的な清涼感である。また、日傘を雨傘として利用するために必要な傘カバーの特性は、日傘が持ち合わせていない遮水性、防水性、撥水性である。
また、傘カバーとは、傘の傘布と異なる意匠のカバーシートを使用することで、傘のデザイン性（ファッション性）を高めるものでもある。ここでいうデザイン性とは傘布との色相の違い、素材の違い、形状の違い、模様の違いなどである。
【００１７】
カバーシートの素材は、（１）傘カバーが雨傘を日傘とする日傘代用のための場合と、（２）傘カバーが日傘を雨傘とする雨傘代用のための場合とで異なる。（１）の日傘代用の場合には、日傘の傘布用として使われる各種の素材を採用することができる。具体的には、綿、麻、絹などの天然繊維、または、ポリエステル繊維、ポリオレフィン系繊維、ポリアミド繊維、ポリ塩化ビニル繊維などの合成繊維からなり、通気性を有して傘カバー、ひいては傘に清涼感を与える布帛（織布、不織布、編布）を採用することができる。その他、これらの素材を用いた各種の合成樹脂シートでもよい。日傘代用の場合、カバーシートは日光を遮るために有色シートでなければならない。
【００１８】
この傘カバーが日傘代用の場合に、カバーシートに紫外線カット機能を付与する方法としては、例えば、カバーシートの表裏面に紫外線カット剤をコーティングする方法、カバーシートの素材に紫外線カット剤を練り込む方法などを採用することができる。紫外線カット剤としては、例えば、各種の紫外線散乱剤、各種の紫外線防止剤を採用することができる。
【００１９】
（２）の雨傘代用の場合のカバーシートの素材としては、ポリ塩化ビニル樹脂、ポリエチレン樹脂、ポリプロピレン樹脂、ポリエステル繊維、ポリアミド繊維、などの各種の布帛を採用することができる。
カバーシートの厚さは限定されないものの、通常の傘布の厚さと同様である。
【００２０】
カバーシートの全体形状は、適用される傘の平面視した傘布と同一形状（正方形、正六角形、正八角形など）、または、それに近似する形状（円形など）が好ましい。一般的に、傘布の形状は、傘の親骨の本数（４本、６本、８本など）によって決定される。
カバーシートのサイズ（直径）は、傘布と略同一サイズが好ましい。ただし、このカバーシートのサイズは、適用される傘の開きサイズ（傘布の直径）に応じて変更される。なお、カバーシートを伸縮性素材製とすれば、傘の開きサイズより小サイズでよい。
【００２１】
伸縮性素材としては、例えば、伸縮性に優れた各種の合成繊維からなる布帛（特に織布、編布）、伸縮性に優れたゴムシートまたは合成樹脂シートを採用することができる。
カバーシートの一部に傘布のバンドの挿通穴を設けてもよい。その場合、挿通穴の形状としてはスリット、矩形穴、円形穴などを採用することができる。また、カバーシートにおける挿通穴の形成位置は、傘カバーを傘に装着したとき、傘布に連結されたバンドと対向する位置である。
【００２２】
石突掛止筒および石突掛止穴とは、カバーシートの中央部を傘の石突部分に掛止するための部材である。
このうち、石突掛止筒とは、傘の石突に着脱自在に外挿される筒体である。
石突掛止筒の素材は、使用時に石突掛止筒が容易に破損しないものであれば任意である。例えば、布帛（特に織布）、各種の合成樹脂（アクリル樹脂、ポリ塩化ビニル樹脂、フェノール樹脂など）、各種の金属（鉄、ステンレス、真鍮など）、各種のセラミックスを採用することができる。
石突掛止筒の長さは、石突の長さと同一またはそれより短い方が好ましい。これは、石突を地面に突いた時、石突掛止筒が接地せず、接地時の衝撃で石突掛止筒が破損しにくいためである。
また、石突掛止穴は、石突を挿通可能で、かつ傘を閉じた際に石突が石突掛止穴から容易に外れなければ、その形状やサイズは限定されない。
【００２３】
露先掛止部材とは、傘の各親骨の先端に設けられた露先にカバーシートの外周部を掛止するためのものである。露先掛止部材の構成、形状、使用個数は任意である。
この露先掛止部材が、各露先に被せられる複数の袋体である場合において、各袋体の形状は、対応する露先を挿入可能であれば任意である。
袋体の素材としては、例えば、天然繊維や各種の合繊繊維からなる布帛（特に織布）などを採用することができる。
カバーシートにおける各袋体の形成位置は、カバーシートの外周縁部のうち、各露先と対向する位置である。露先を有する各親骨は、傘の中棒を中心にして同一角度で放射状に配置されているため、各袋体は、カバーシートの外周縁部において、その周方向へ所定ピッチで配設されることとなる。袋体の使用個数は、傘の露先の個数に応じて変更される。
【００２４】
また、露先掛止部材が、上述したカバーシートの外周縁部の全周にわたって設けられたネット材を有するものである場合において、ネット材とは、カバーシートとは別体のもので、かつ多数の網目が周方向へ連続した全体視して環状（略円環状）の網である。
ネット材の素材としては、例えば、綿、麻、絹などの各種の天然繊維またはポリ塩化ビニル樹脂、ポリエステル繊維、ポリアミド繊維、ポリオレフィン系繊維などの各種の合成繊維、鉄、ステンレスなどの各種の金属線材を採用することができる。
【００２５】
ネット材は、伸縮性または湾曲性を有しても、有しなくてもよい。ただし、伸縮性を有した方が、露先を掛止していない部分のネット材の幅が短くなり、傘カバーのデザイン性の観点およびから好ましい。
ネット材の外周縁（カバーシートへの固定側とは反対側の周縁）の全体には、ネット材の剛性を高めるため、湾曲自在な補強リングまたは湾曲自在な環状補強ベルトを設けたり、カバーシートの外周部分を飾るために湾曲自在な環状装飾帯を設けてもよい。このうち、補強リングの素材としては、例えば、前記ネット材の素材群の中の何れかを採用することができる。環状装飾帯としては、例えば環状のフリルなどを採用することができる。
傘は、このような構成の傘カバーを有したものとして作製してもよい。
傘の種類は限定されない。例えば、長傘、折りたたみ傘、長傘のジャンプ傘、折りたたみ傘のジャンプ傘を採用することができる。
【考案の効果】
【００２６】
本考案によれば、傘カバー使用時に、傘の石突にカバーシートの石突掛止筒または石突掛止穴を挿入するとともに、傘の各露先に露先掛止部材を掛止することにより、傘カバーを傘に装着する。このとき、傘カバーを日傘に装着される雨傘カバーまたは雨傘に装着される日傘カバーとして使用することで、雨傘を日傘としてまたは日傘を雨傘として利用することができる。しかも、傘布への傘カバーの装着により、傘のデザイン性も高めることができる。
【００２７】
また、露先掛止部材を、カバーシートの外周縁部のうち、カバーシートの周方向へ所定ピッチで配設され、かつ各露先に被せられる複数の袋体とすれば、傘の周方向での親骨の位置に応じて、露先掛止部材を正確かつ確実に、対応する露先に掛止することができる。
【００２８】
さらに、露先掛止部材を、カバーシートの外周縁部の全周に設けたネット材を有するものとすれば、各露先をネット材のうち、対向位置の網目に掛止することで、傘の親骨の本数に拘わりなく、各露先をカバーシートの外周縁部に連結することができる。
【００２９】
さらにまた、カバーシートの一部に挿通穴を形成すれば、傘カバーの使用時、傘布に連結されたバンドを挿通穴に通して、バンドをカバーシートの外に配置することができる。これにより、傘カバーを装着したままで、バンドを利用して傘布を傘の中棒に巻き付けることができる。
【００３０】
また、カバーシートを伸縮性素材から設ければ、傘カバーにより傘布の表面を被うときに、仮にカバーシートが傘布より小サイズのものであっても、カバーシートを引き伸ばして露先掛止部材を各露先に掛止することができる。これにより、１つの傘カバーを、開きサイズが異なる傘に使用することができる。
【００３１】
さらに、雨傘を、傘布が透明または半透明な合成樹脂シートからなるものとし、カバーシートを有色シートからなるものとすれば、傘カバーを使用することで、傘布が透明または半透明な雨傘を、有色シートの日光の遮蔽作用によって日傘として利用することができる。
【００３２】
さらにまた、雨傘を日傘として使用する傘カバーにおいて、カバーシートを、紫外線カット機能が付与されたものとすれば、傘使用時、日光に含まれる紫外線を減少させて、日焼けの防止効果を高めることができる。
【００３３】
また、日傘を雨傘として使用する傘カバーにおいて、傘布が通気性を有した織布からなるものとし、カバーシートを遮水性シートからなるものとすれば、傘使用時、雨水は傘布の表面を被うカバーシートにより遮水される。これにより、一般的な日傘を雨傘として使用した場合に問題となる、雨水が傘布を通り抜け、使用者の頭上に落ちる虞がない。
【００３４】
さらに、上記何れかの傘カバーを有した傘とすることで、対応する作用効果を具備した傘が得られる。
【図面の簡単な説明】
【００３５】
【図１】本考案の実施例１に係る傘カバーおよびこれを装着した傘の使用状態の斜視図である。
【図２】本考案の実施例１に係る傘カバーの平面図である。
【図３】本考案の実施例１に係る傘カバーおよびこれを装着した傘の使用状態における露先部分を示す斜視図である。
【図４】本考案の実施例１に係る傘カバーおよびこれを装着した傘の使用状態における石突部分を示す斜視図である。
【図５】本考案の実施例２に係る傘カバーおよびこれを装着した傘の使用状態の平面図である。
【考案を実施するための形態】
【００３６】
以下、本考案の実施例１に係る傘カバーおよびこれを装着した傘（雨傘）を説明する。
【実施例】
【００３７】
図１において、１０Ａは本考案の実施例１に係る傘カバーである。この傘カバー１０Ａは雨傘（傘）Ａの傘布１１を、その表面から着脱自在に被うカバーシート１２Ａと、カバーシート１２Ａの中央部に設けられ、雨傘Ａの石突１３に着脱自在に外挿される石突掛止筒１４と、カバーシート１２Ａの外周縁部に設けられ、雨傘Ａの各露先１５に掛止される袋体（露先掛止部材）１６とを備えたものである。
【００３８】
以下、図１〜図４を参照して、これらの構成部品を詳細に説明する。
図１に示すように、雨傘Ａは、下端部にグリップ１７が固定され、かつ上端部に石突１３が固定された中棒（シャンク）１８と、中棒１８の上端部の周りに４５°間隔で各上端部が軸支され、各下端部に露先１５が配設された８本の親骨１９と、中棒１８にスライド自在に外挿されたロクロ（図示せず）と、各一端部がロクロの上端部の周りに４５°間隔で放射状に軸支され、かつ各他端部が、対応する親骨１９の略中間部に軸支された８本の受骨（図示せず）と、各親骨１９の上縁に展張された透明（半透明でもよい）で正八角形のポリ塩化ビニル樹脂からなる傘布１１とを有している。雨傘Ａを開く場合には、ロクロを中棒１８の上方に移動して各受骨を介して各親骨１９を押し上げることで傘布１１が展開され、雨傘Ａを閉じる場合には、ロクロを中棒１８の下方に移動して各受骨により各親骨１９を引き下げることで傘布１１が萎まる。
【００３９】
図１および図３〜４に示すように、傘カバー１０Ａは、表裏面に紫外線防止剤がコーティングされたオレンジ色のポリエステル繊維シート（原反）から裁断され、かつ斜辺が長い二等辺三角形の８枚の部分カバーシート１２ａを、各突き合わせ側の斜辺部同士を熱融着することにより１枚の正八角形のカバーシート１２Ａとし、またカバーシート１２Ａの中央部を開穴し、この開穴部に人工皮革製の石突掛止筒１４の元部を縫着するとともに、カバーシート１２Ａの外周縁部のうち、各部分カバーシート１２ａの熱融着部分に、短尺な厚地帯を折り返して袋状に縫着した８つの袋体１６の各開口縁部の一部分を、それぞれ縫着したものである。また、カバーシート１２Ａの一部には、傘布１１の表面から延びたバンド２０が挿通される挿通穴２１が形成されている。
【００４０】
図１に示すように、この傘カバー１０Ａを利用し、雨傘Ａを日傘Ｂとして使用する場合には、まず傘の石突１３にカバーシート１２Ａの石突掛止筒１４を挿入し、この状態のまま雨傘Ａの８本の親骨１９の露先１５に、それぞれ袋体１６を掛止する。これにより、日光を遮蔽する有色のカバーシート１２Ａを有した傘カバー１０Ａが、雨傘Ａの各親骨１９の外縁に展張状態で装着され、雨傘Ａを日傘Ｂとして使用することができる。しかも、傘布１１への傘カバー１０Ａの装着により、雨傘Ａのデザイン性も高めることができる。
また、袋体１６を、カバーシート１２Ａの外周縁部のうち、カバーシート１２Ａの周方向へ所定ピッチで配設したため、親骨１９の位置に応じて、露先掛止部材を正確かつ確実に、対応する露先１５に掛止することができる。
【００４１】
さらに、カバーシート１２Ａを、表裏面に紫外線防止剤がコーティングされたポリエステル繊維シート製としたため、カバーシート１２Ａに紫外線カット機能が付与され、傘使用時、日光に含まれる紫外線を減少させて、日焼けの防止効果を高めることができる。
さらにまた、このような傘カバー１０Ａを、あらかじめ雨傘Ａに着脱自在に取り付けておくことで、上述した作用効果を有する雨傘Ａとすることができる。
【００４２】
雨傘Ａの日傘Ｂとしての使用後、再びこれを雨傘Ａとして利用したい場合には、各露先１５から袋体１６をそれぞれ外し、石突１３から石突掛止筒１４を外すことにより、傘カバー１０Ａを傘布１１から離脱させればよい。また、雨傘Ａを傘カバー１０Ａの装着状態（日傘代用状態）で閉じたいときには、通常通りに雨傘Ａを閉じた後、カバーシート１２Ａの挿通穴２１から突出したバンド２０を使用して傘カバー１０Ａごと傘布１１を縛ることにより、日傘用のものとしての傘布１１を傘の中棒１８に巻き付けることができる。
【００４３】
なお、カバーシート１２Ａに代えて、伸縮性に優れたポリエステル繊維からなる織布製もしくは編布製のカバーシート１２Ｃを採用してもよい（図２参照）。このように構成すれば、傘カバー１０Ａによって傘布１１をその表面から被うとき、仮にカバーシート１２Ｃが傘布１１より小サイズのものであっても、カバーシート１２Ｃを引き伸ばして各袋体１６を各露先１５に掛止することができる。これにより、１つの傘カバー１０Ａを、開きサイズが異なる複数の雨傘Ａに使用することができる。
また、傘として、傘布１１が通気性を有した織布からな日傘Ｂを採用し、カバーシートとして、ポリエステル製の遮水性シートを二等辺三角形に裁断して得られた８枚の部分カバーシート１２ｂを熱融着して設けたカバーシート１２Ｂを採用することにより、傘カバーが雨傘代用の傘カバー１０Ｂとなる。このように構成すれば、雨天における日傘Ｂを雨傘Ａとして使用する際、雨水は傘布１１の表面を被う傘カバー１０Ｂのカバーシート１２Ｂによって遮断され、日傘Ｂの傘布１１を濡らさない。その結果、一般的な日傘Ｂを雨傘Ａとして使用した場合に問題となる、雨水が傘布１１を通り抜け、使用者の頭上に落ちる虞がない。
【００４４】
次に、図５を参照して、本考案の実施例２に係る傘カバーおよびこれを装着した傘を説明する。
この実施例２の傘カバー３０の特徴は、実施例１の袋体１６に代えて、露先掛止部材として、カバーシート１２Ｂの外周縁部の全周にわたって縫着されたネット材２２を採用し、また石突掛止筒１４に代えて石突掛止穴１４Ａを採用した点である。
ネット材２２は、剛性および伸縮性に優れたポリエステル繊維からなる編布である。ネット材２２の外周縁の全体には、傘カバー１０Ａのデザイン性（ファッション性）を高めるフリル２３を縫着してもよい（二点鎖線）。
傘カバー３０の使用時には、各露先１５をネット材２２のうち、対向位置の網目２２ａに掛止することで、日傘Ｂの親骨１９の本数に拘わりなく、各露先１５をカバーシート１２Ｂの外周縁部に連結することができる。
その他の構成、作用および効果は、実施例１から推測可能であるため、説明を省略する。
【産業上の利用可能性】
【００４５】
本考案は、雨傘を日傘として利用可能（日傘代用）、または、日傘を雨傘として利用可能（雨傘代用）な傘カバーおよびこれを装着した傘として有用である。
【符号の説明】
【００４６】
１０Ａ，１０Ｂ，３０  傘カバー
１１  傘布
１２Ａ，１２Ｂ，１２Ｃ  カバーシート
１３  石突
１４  石突掛止筒
１４Ａ  石突掛止穴
１５  露先
１６  袋体（露先掛止部材）
２２  ネット材
２０  バンド
２１  挿通穴
Ａ，Ｂ  傘
【図１】
0003187424.tif 000003
【図２】
0003187424.tif 000004
【図３】
0003187424.tif 000005
【図４】
0003187424.tif 000006
【図５】
0003187424.tif 000007
【手続補正書】
【提出日】平成25年9月19日(2013.9.19)
【手続補正１】
【補正対象書類名】実用新案登録請求の範囲
【補正対象項目名】全文
【補正方法】変更
【補正の内容】
【実用新案登録請求の範囲】
【請求項１】
傘の傘布を、その表面から着脱自在に被うカバーシートと、該カバーシートの中央部に設けられ、前記傘の石突に着脱自在に外挿される石突掛止筒または石突掛止穴と、前記カバーシートの外周縁部に設けられ、前記傘の各露先に掛止される露先掛止部材とを備えたことを特徴とする傘カバー。
【請求項２】
前記露先掛止部材は、前記カバーシートの外周縁部のうち、該カバーシートの周方向へ所定ピッチで配設され、かつ前記各露先に被せられる複数の袋体である請求項１に記載の傘カバー。
【請求項３】
前記露先掛止部材は、前記カバーシートの外周縁部の全周にわたって設けられたネット材を有している請求項１に記載の傘カバー。
【請求項４】
前記カバーシートの一部には、前記傘布に連結されたバンドの挿通穴が形成された請求項１〜請求項３のうち、何れか１項に記載の傘カバー。
【請求項５】
前記カバーシートは伸縮性素材からなる請求項１〜請求項４のうち、何れか１項に記載の傘カバー。
【請求項６】
前記傘は雨傘または日傘で、前記カバーシートは、前記雨傘を日傘として使用可能とするもの、または、前記日傘を雨傘として使用可能とするものである請求項１〜請求項５のうち、何れか１項に記載の傘カバー。
【請求項７】
前記雨傘は、前記傘布が透明または半透明な合成樹脂シートからなり、前記カバーシートは有色シートからなる請求項６に記載の傘カバー。
【請求項８】
前記カバーシートは、表裏面に紫外線防止剤がコーティングされたものである請求項７に記載の傘カバー。
【請求項９】
前記日傘は、前記傘布が通気性を有した織布からなり、前記カバーシートは遮水性シートからなる請求項６に記載の傘カバー。
【請求項１０】
請求項１〜請求項９のうち、何れか１項の傘カバーを有したことを特徴とする傘。